(57)【要約】【課題】簡易且つ容易に収納ケース内におけるスプールの回転を防止する。【解決手段】筒状の胴部６を含み当該胴部６の外周面に釣糸Ｌが巻回される本体４、及び本体４に取り付けられ外周面に対面するベース板１５を有するスプール２と、スプール２を収納する収納ケース３と、を備え、収納ケース３は、スプール２を収納するための収納口４６と、収納口４６を形成する縁部に設けられたフラップ３６と、を有している。この収納ケース付きスプール１では、収納ケース３にスプール２が収納された状態にて、フラップ３６Ｒ，３６Ｌの先端側がベース板１５に対して周方向の一方側及び他方側に位置してスプール２の回転を制限する。すなわち、フラップ３６により、収納されたスプール２が収納ケース３に対して周方向に相対移動するのを制限することができる。【選択図】図１
2008155964.tif 000002
【特許請求の範囲】
【請求項１】
筒状の胴部を含み当該胴部の外周面に繊維体が巻回される本体、及び前記本体に取り付けられ前記胴部の前記外周面に対面する付属板を有するスプールと、
前記スプールを収納する収納ケースと、を備え、
前記収納ケースは、
前記スプールを収納するための収納口と、
前記収納口を形成する縁部に設けられた一対のフラップと、を有し、
前記収納ケースに前記スプールが収納された状態において、
前記フラップの一方は、その先端側が前記付属板に対して周方向の一方側に位置し、前記スプールの前記一方側への回転を制限するように構成されていると共に、
前記フラップの他方は、その先端側が前記付属板に対して周方向の他方側に位置し、前記スプールの前記他方側への回転を制限するように構成されていることを特徴とする収納ケース付きスプール。
【請求項２】
前記収納ケースに前記スプールが収納された状態において、前記フラップの前記先端側は、前記付属板と前記胴部の外周面との間にそれぞれ進入されることを特徴とする請求項１記載の収納ケース付きスプール。
【請求項３】
前記フラップには、前記先端側を内側に折り曲げるための折曲げ線がそれぞれ設けられていることを特徴とする請求項１又は２記載の収納ケース付きスプール。
【請求項４】
前記付属板は、前記繊維体の一端側を係止する係止部を有していることを特徴とする請求項１〜３の何れか一項記載の収納ケース付きスプール。
【請求項５】
前記付属板は、前記繊維体を切断するための切断部を有していることを特徴とする請求項１〜４の何れか一項記載の収納ケース付きスプール。
【請求項６】
前記スプールには、前記繊維体に関する情報を表示する表示部が設けられていることを特徴とする請求項１〜５の何れか一項記載の収納ケース付きスプール。
【請求項７】
前記繊維体は、釣糸であることを特徴とする請求項１〜６の何れか一項記載の収納ケース付きスプール。
【発明の詳細な説明】
【技術分野】
【０００１】
本発明は、繊維体を巻回して収納する収納ケース付きスプールに関する。
【背景技術】
【０００２】
従来、収納ケース付きスプールとして、筒状の胴部を有するスプールと、スプールを収納する収納ケースと、を備え、胴部の外周面に繊維体が巻回されると共に胴部の内周部に複数のリブが設けられたものが知られている（例えば、特許文献１参照）。
【特許文献１】特開２００１−２０６４７０号公報
【発明の開示】
【発明が解決しようとする課題】
【０００３】
ここで、上述した収納ケース付きスプールでは、収納ケースにスプールを収納した後、当該収納ケースに別途設けられた止定部をスプールにおいて隣り合う２つのリブの間に挿嵌することにより、収納ケース内におけるスプールの回転を防止する。これに対し、近年の収納ケース付きスプールにおいては、収納ケースの構成を簡易にして製造コストを低減することが望まれていると共に、収納ケース内におけるスプールの回転を容易に防止することが要求されている。
【０００４】
そこで、本発明は、簡易且つ容易に収納ケース内におけるスプールの回転を防止することができる収納ケース付きスプールを提供することを課題とする。
【課題を解決するための手段】
【０００５】
上記課題を解決するために、本発明に係る収納ケース付きスプールは、筒状の胴部を含み当該胴部の外周面に繊維体が巻回される本体、及び本体に取り付けられ胴部の外周面に対面する付属板を有するスプールと、スプールを収納する収納ケースと、を備え、収納ケースは、スプールを収納するための収納口と、収納口を形成する縁部に設けられた一対のフラップと、を有し、収納ケースにスプールが収納された状態において、フラップの一方は、その先端側が付属板に対して周方向の一方側に位置し、スプールの一方側への回転を制限するように構成されていると共に、フラップの他方は、その先端側が付属板に対して周方向の他方側に位置し、スプールの他方側への回転を制限するように構成されていることを特徴とする。
【０００６】
この本発明に係る収納ケース付きスプールでは、収納ケースにスプールが収納された状態において、一方のフラップの先端側が付属板に対して周方向の一方側に位置してスプールの一方側への回転を制限すると共に、他方のフラップの先端側が付属板に対して周方向の他方側に位置してスプールの一方側への回転を制限する。すなわち、フラップにより、収納されたスプールが収納ケースに対して周方向に相対移動するのを制限することが可能となる。従って、簡易且つ容易に収納ケース内におけるスプールの回転を防止することができ、その結果、例えばスプールに表示部が設けられている場合、当該スプールが収納ケースに収納された状態での表示部を見易くすることができる。
【０００７】
ここで、収納ケースにスプールが収納された状態において、フラップの先端側は、付属板と胴部の外周面との間にそれぞれ進入されることが好ましい。この場合、付属板がフラップで周方向に挟持されることになり、収納されたスプールが収納ケースに対して周方向に相対移動するのを抑止することができる。
【０００８】
また、フラップには、先端側を内側に折り曲げるための折曲げ線がそれぞれ設けられていることが好ましい。これにより、例えばフラップの先端側を付属板と胴部の外周面との間に進入させる場合、フラップの先端側をこの間に容易に進入させることが可能となる。
【０００９】
また、付属板は、繊維体の一端側を係止する係止部を有していることが好ましい。この場合、付属板により、巻回された繊維体がバラけるのを防止することができる。
【００１０】
また、付属板は、繊維体を切断するための切断部を有していることが好ましい。この場合、巻回された繊維体を引き出して付属板により切断することができ、よって、所望の長さの繊維体を容易且つ効率的に得ることが可能となる。
【００１１】
また、スプールには、繊維体に関する情報を表示する表示部が設けられていることが好ましい。この場合、表示部により巻回した繊維体に関する情報を表示することができる。加えて、上述したようにスプールの収納ケースに対する周方向の相対移動が制限されることから、スプールが収納ケースに収納された状態での表示部が見易くなる。
【００１２】
また、繊維体としては、具体的には、釣糸が挙げられる。
【発明の効果】
【００１３】
本発明によれば、簡易且つ容易に収納ケース内におけるスプールの回転を防止することが可能となる。
【発明を実施するための最良の形態】
【００１４】
以下、添付図面を参照して、本発明の好適な実施形態について詳細に説明する。なお、図面の説明において同一又は相当する要素には同一符号を付し、重複する説明は省略する。
【００１５】
［第１実施形態］
まず、本発明の第１実施形態に係る収納ケース付きスプールの構成について説明する。
【００１６】
図１は本発明の第１実施形態に係る収納ケース付きスプールを示す斜視図である。この収納ケース付きスプールは、繊維体を巻回して収納するものである。繊維体としては、例えば、綿、羊毛等の天然繊維、ナイロン、ポリエステル、ポリエチレン等の合成繊維、金属繊維、ガラス繊維、若しくはこれらを組み合わせたものが挙げられ、その太さや強さは限定されず種々の糸状を呈するものが用いられる。図１に示すように、特に本実施形態の収納ケース付きスプール１では、釣りの利用に供する釣糸であってその号数が１０号である釣糸（繊維体）Ｌを巻回して収納する。収納ケース付きスプール１は、釣糸Ｌが巻回されるスプール２と、当該スプール２を収納する収納ケース３と、を備えている。スプール２は、本体４と止め具（繊維体止め具）５とを有している。
【００１７】
図２は図１の収納ケース付きスプールにおける本体を示す上面図、図３は図２のIII−III線に沿った断面図、図４は図１の収納ケース付きスプールにおける本体を示す正面図、図５は図１の収納ケース付きスプールにおける本体を示す背面図である。本体４は、例えば樹脂からなり、ここでは、巻回される釣糸Ｌの視認性の点で好ましいとして、透明樹脂により形成されている。図２及び図３に示すように、本体４は、胴部６とフランジ部７とを含んで構成されている。
【００１８】
図３に示すように、本体４は、胴部６の内周面６ａより内側が中空とされた非リブ構造の環状体となっている。胴部６は、円筒形状を呈しており、胴部６の外周面６ｂには、釣糸Ｌが例えば整列巻きで巻回される（図１５参照）。フランジ部７は、所定の厚さを有するリング状を呈し、胴部６の軸線方向（以下、単に「軸線方向」という）における両端部にそれぞれ設けられている。具体的には、フランジ部７は、胴部６の外周面６ｂにおいて軸線方向における両端部に、径方向外側に突出するようにそれぞれ形成されている。
【００１９】
両フランジ部７の外周面７ｃにおける周方向（以下、単に「周方向」という）の同位置には、その外側面７ａから内側面７ｂまで延在し、且つ、フランジ部７の径方向（以下、単に「径方向」という）外側に開口する溝部９がそれぞれ形成されている。図４及び図５に示すように、溝部９は、フランジ部７の外周面７ｃ側を矩形状に切り欠くようにして形成され、底面９ａ及び一対の側面９ｂを含んでいる。この溝部９の深さは、胴部６の外周面６ｂに釣糸Ｌが巻回された状態で釣糸Ｌがフランジ部７に納まるような深さ、つまり、軸線方向視において巻回される釣糸Ｌが溝部９から露出しない深さとなっている（図１５参照）。
【００２０】
図３〜図５に示すように、フランジ部７の外側面７ａにおいて胴部６の内周面６ａ側には、凸部８がそれぞれ設けられている。凸部８は、内周面６ａに連続するように周方向に延在し、且つ、軸線方向外側に突出している。そして、凸部８において溝部９側の部分、つまり、凸部８において溝部９の周方向における位置に対応する部分には、隙間１０が設けられている。この隙間１０は、軸線方向視において径方向内側に行くに従って狭くなるようなテーパ状を呈しており、止め具５を本体４に取り付けた状態（以下、単に「取付状態」という。なお、以下の説明において取付状態は図１４又は図１５を参照のこと）で、後述する止め具５の側板１１が周方向に係合される。
【００２１】
図３及び図５に示すように、フランジ部７のうち一方のフランジ部７Ｒの外側面７Ｒａには、溝部９の底面９ａに連接するように矩形状にその肉厚が薄くされてなる薄肉部１２が設けられている。換言すると、薄肉部１２により、外側面７Ｒａにおいて溝部９と隙間１０との間における底面９ａに連接接する所定の領域の肉厚が、それ以外の領域の肉厚よりも僅かに薄くなっている。
【００２２】
図３及び図４に示すように、フランジ部７のうち他方のフランジ部７Ｌの外側面７Ｌａには、長溝１３が設けられている。この長溝１３は、外側面７Ｌａにおいて溝部９と隙間１０との間に略周方向に延在するように形成されている。
【００２３】
図２に示すように、他方のフランジ部７Ｌの内側面７Ｌｂには、溝部９から胴部６の外周面６ｂに向けて、径方向に対して傾斜して延在する段差１４が設けられている。この段差１４は、軸線方向視において胴部６の外周面６ｂに連接するように延在している。そして、段差１４を介して、径方向外側におけるフランジ部７の肉厚が、径方向内側における肉厚よりも薄くなっている。すなわち、このようなフランジ部７の肉厚差による段差１４が内側面７Ｌｂに形成されるように、フランジ部７Ｌの内側面７Ｌｂが切り欠かれたような形状とされている。
【００２４】
図６は図１の収納ケース付きスプールにおける止め具を示す上面図、図７は図１の収納ケース付きスプールにおける止め具を示す下面図、図８は図６のVIII−VIII線に沿った断面図、図９は図１の収納ケース付きスプールにおける止め具を示す正面図。図１０は図１の収納ケース付きスプールにおける止め具を示す背面図、図１１は図６のXI−XI線に沿った断面図である。図６〜図１１に示すように、止め具５は、ベース板１５と、ベース板１５の長手方向両端部にそれぞれ設けられた側板１１と、を含んでいる。この止め具５は、本体４に着脱自在に取り付けられるものである。具体的には、取付状態において、止め具５におけるベース板１５の内側の面１５ａが胴部６の外周面６ｂに対面し、当該ベース板１５が一方のフランジ部７Ｒから他方のフランジ部７Ｌに架け渡される。そして、この止め具５は、取付状態にて巻回された繊維体Ｌの一端側（巻き終わりの端側）を係止する（詳しくは後述）。
【００２５】
図６に示すように、ベース板１５の外側の面１５ｂには、例えば釣糸Ｌに関する情報、商品名、使用説明、マーク等の様々な文字や図形等を表示する表示部２０が設けられている。なお、釣糸Ｌに関する情報としては、釣糸Ｌの号数、太さ寸法、断面積、強さ、材質、若しくはこれらの組み合わせたものが挙げられる。ここでの表示部２０では、釣糸Ｌの号数が浮き彫りされて表示されている。
【００２６】
図６及び図８に示すように、ベース板１５の長手方向における一端部には、その一部が端面１５ｃを含んで内側の面１５ａから外側の面１５ｂまで開口する矩形状の開口部（実際には、樹脂成型による凹部である。以降の開口部も同じ）１６が形成されている。図１０に示すように、開口部１６には、溝部９（図４参照）に対応する形状を呈し、且つ取付状態において径方向内側に凸状に突出する突出部１７が設けられている。換言すると、溝部９と同様な外形形状を呈し、且つベース板１５の内側の面１５ａに対して突出する突出部１７が、開口部１６に形成されている。そして、突出部１７は、取付状態において溝部９に対応する位置に形成されている。すなわち、突出部１７は、取付状態にて溝部９に係合するようになっている。
【００２７】
図１０及び図１１に示すように、この突出部１７は、一対の側壁（回り止め部）１８と底壁（係止部）１９とを有し、これら側壁１８及び底壁１９により凸状が構成されている。すなわち、図１０に示すように、側壁１８は、開口部１６の対向する内面１６ａに結合され、且つベース板１５の内側の面１５ａに対する垂直方向（図中における下方）に真っ直ぐ延在している。側壁１８は、取付状態にて溝部９の側面９ｂに対面する。また、側壁１８が延在する長さは、溝部９の深さよりも大きくなっている。換言すると、突出部１７の突出高さは、溝部９の深さよりも大きくなっている。これにより、取付状態において本体４とベース板１５との間には、隙間２９（図１５参照）が形成される。
【００２８】
図６及び図７に示すように、底壁１９は、側壁１８，１８に結合され且つベース板１５の長手方向と交差する方向に延在している。底壁１９は、取付状態にて底面９ａに対面する。なお、このようにして突出部１７が側壁１８及び底壁１９により凸状を構成することで、取付状態において、底壁１９は自己の弾性力でもって撓むことが可能とされている。
【００２９】
図６〜図８に示すように、側板１１は、取付状態において本体４を軸線方向に挟持する。つまり、一方の側板１１Ｒにおける内側面２１及び他方の側板１１Ｌにおける内側面２１との間隔は、フランジ部７Ｒ，７Ｌ（図２参照）における外側面７Ｒａ，７Ｌａの間隔と略等しくされている。図１０に示すように、この側板１１は、その外形が長手方向視において基端１１ａから先端１１ｂに行くに従って細くなるようなテーパ状となっている。つまり、上述したように、側板１１は、取付状態でその先端１１ｂ側が凸部８の隙間１０に周方向に係合するようになっている。
【００３０】
側板１１のうち一方の側板１１Ｒには、開口部２３に連続し、基端１１ａの一部を含んで内側面２１から外側面２５まで開口する開口部２３が形成されている（図６及び図１０参照）。また、開口部２３は、先端１１ｂ側が上述した側板１１の外形形状に伴って、先端に行くに従って狭くなるようなテーパ状となっている。
【００３１】
図１１に示すように、一方の側板１１Ｒの内側面２１には、当接部２２とリブ４８とが設けられている。当接部２２は、側板１１Ｒの先端１１ｂ側に位置し、矩形状に突出するように形成されている。リブ４８は、上記の開口部２３を横切るように形成されている。そして、図８に示すように、これら当接部２２及びリブ４８の肉厚（ベース板１５の長手方向における厚さ）は、互いに等しく表面が面一となっている。すなわち、一方の側板１１Ｒにあっては、取付状態において、当接部２２及びリブ４８が一方のフランジ部７Ｒにおける外側面７Ｒａと当接すると共に、フランジ部７Ｒにおける外側面７Ｒａと一方の側板１１Ｒの内側面２１との間には、隙間４７（図１５参照）が形成されるように構成されている。
【００３２】
他方の側板１１Ｌの内側面２１には、長尺状の突起２７が形成されている。この突起２７は、取り付け状態において、上述したフランジ部７Ｌの外側面７Ｌａにおける長溝１３に係合する。図９に示すように、他方の側板１１Ｌの外側面２５には、例えば釣糸Ｌに関する情報、商品名、使用説明、マーク等の様々な文字や図形等を表示する表示部２６が設けられている。ここでの表示部２６では、釣糸Ｌの号数が記載されたラベルを貼付することにより表示されている。
【００３３】
図８に戻り、一方の側板１１Ｒの当接部２２において先端１１ｂ側、及び他方の側板１１Ｌの内側面２１において先端１１ｂ側には、ベース板１５の長手方向内側に突出する一対の爪部２４が対向するようにそれぞれ形成されている。爪部２４は、取付状態にて、胴部６の内周面６ｂに径方向に係合し、本体４と径方向に係合する。  
【００３４】
図１２は図１の収納ケース付きスプールにおける収納ケースを示す展開斜視図、図１３は図１の収納ケース付きスプールにおける収納ケースを示す斜視図である。図１２及び図１３に示すように、収納ケース３は、収納されるスプールの視認性の点で好ましいとして透明樹脂により形成され、プレス加工や曲げ加工を施して形成されている。樹脂としては、例えば塩化ビニル、ＰＥＴ（ポリエチレンテレフタレート）、ポリプロピレン等が用いられる。なお、このような材料が用いられることにより、収納ケース３では、釣りの現場における耐水性も高められている。
【００３５】
図１２に示すように、収納ケース３は、ケース側板３１、ケース前板３２、ケース側板３３、ケース後板３４、及び貼り代部３５を有し、これらがこの順で、折線ｍ，ｎ，ｏ，ｐを順に介して連結されている。ケース側板３１，３３の長手方向における一端側の辺には、一対のフラップ３６が折線ｇを介してそれぞれ連結されている。一方、ケース側板３１，３３の長手方向における他端側の辺には、一対のフラップ３７が折線ｒを介してそれぞれ連結されている。なお、以下の説明において、フラップ３６が連結された側を天側、フラップ３７が連結された側を底側と称し、フラップ３６を天側フラップ３６、フラップ３７を底側フラップ３７と称する。
【００３６】
ケース前板３２の天側の辺には、ケース天板３８及び差込片３９がこの順で、折線ｓ，ｔを順に介して連結されている一方、ケース前板３２の底側の辺には、ケース底板４０及び差込片４１がこの順で、折先ｕ，ｖを順に介して連結されている。ケース後板３４の天側の辺には、ケース天板４２及び吊下板４３がこの順で、折線ｙ，ｘを順に介して連結されている。ケース天板３８には、収納ケース３を組み立てる際に、吊下板４３が挿入される長孔４４が設けられている。吊下板４３には、収納ケース３を吊り下げるための吊下孔４５が設けられている。また、差込片３９が挿入されるスリット４９が、折線ｙに沿って延在するように形成されている。
【００３７】
本実施形態では、上述したように、ケース側板３１，３３に折線ｇを介して一対のフラップ３６がそれぞれ連結されている。この天側フラップ３６は、いわゆる突合せフラップであり、その長手方向の長さであるフラップ長さ（折線ｇに交差する方向の長さ）が通常の突合せフラップのものよりも長くなっている。ここでは、フラップ長さを底側フラップ３７よりも長くしており、ケース前板３２若しくはケース後板３４の天側の辺の長さの略半分にしている。また、天側フラップ３６には、折線ｇと略平行に延びる折線（折曲げ線）ｗがそれぞれ設けられており、収納ケース３を組み立てた状態において、天側フラップ３６の先端側の部分３６ａが内側に折り曲げ可能とされている（図１６（ｂ）参照）。
【００３８】
この収納ケース３は、各部の折り曲げや貼り合わせにより組み立てられる。具体的には、まず、ケース側板３１、ケース前板３２、ケース側板３３、ケース後板３４、及び貼り代部３５を折線ｍ，ｎ，ｏ，ｐにより折り曲げ、貼り代部３５と側板３１とを例えば接着剤又はテープで貼り合わせる。次に、底側フラップ３７を折線ｒにより折り曲げ、ケース底板４０を折線ｕにより折り曲げた後に、折線ｖで略９０°で折り返された差込片４１をケース前板３４の内面側に差し込む。天側フラップ３６を折線ｇによりそれぞれ折り曲げ、吊下板４３を折線ｘにより略９０°で予め折り返してケース天板４２を折線ｙにより折り曲げる。そして、吊下板４３を長孔４４に挿入しつつケース天板３８を折線ｓにより折り曲げ、折線ｔで略９０°で折り返された差込片３９をスリット４９に差し込む。これにより、収納ケース３が組み立てられることになる（図１３参照）。なお、この収納ケース３は、天側からスプールが収納されるものであり、よって、ケース側板３１、ケース前板３２、ケース側板３３、及びケース後板３４の天側の辺により収納口４６（図１６参照）が形成される。
【００３９】
次に、このような構成を有する収納ケース付きスプール１において本体４に止め具５を着脱自在に取り付ける場合について説明する。
【００４０】
本体４に止め具５を着脱自在に取り付ける場合、まず、溝部９を介して釣糸Ｌの一端側をスプール２から引き出す。そして、釣糸Ｌの一端側を、フランジ部７Ｒの外側面７Ｒａにおいて巻回方向に沿う状態にして止め具５を本体４に取り付ける。具体的には、かかる釣糸Ｌの状態にて、突出部１７を溝部９に係合させながら側板１１の先端１１ｂ側を隙間１０に差し込みつつ、側板１１の突起２７をフランジ部７Ｒの長溝１３に係合させるのに併せて爪部２４を胴部６の内周面６ａに係合する。これにより、図１４及び図１５に示すように、止め具５が本体４に着脱自在に取り付けられると共に、突出部１７の底壁１９と溝部９の底面９ａとで釣糸Ｌの一端側が強固に挟持される。すなわち、釣糸Ｌの一端側が突出部１７（底壁１９）により底面９ａに向けて押圧されて係止されるように本体４に止め具５が着脱自在に取り付けられることとなる。
【００４１】
ここで、従来のスプールでは、釣糸Ｌの一端側を係止溝で挟持して係止することにより、釣糸Ｌの径よりも大きく係止溝を開く必要がある。そのため、係止溝で係止するのを繰り返すにつれて、当該係止溝が変形して釣糸Ｌを挟持する挟持力が不十分になり、ひいては、釣糸Ｌを係止する係止力が不十分になるおそれがある。
【００４２】
しかし、本実施形態では、上述したように、釣糸Ｌの一端側を係止溝で挟持して係止するのではなく、突出部１７により釣糸Ｌの一端側を溝部９の底面に押圧して係止する。よって、係止することを繰り返すにつれてその係止力が不十分になるのを抑制することができ、釣糸Ｌの一端側を再現性よく繰り返して係止することができる。その結果、巻回された釣糸Ｌがバラけるのを確実且つ十分に防止することができる。
【００４３】
さらに、取付状態において、上述したように突出部１７が溝部９に係合されることにより、突出部１７（側壁１８）が溝部９と周方向に係合される。すなわち、取付状態にて、止め具５が本体４に対して周方向に相対移動するのを確実に制限することができ、その結果、釣糸Ｌの一端側を確実に係止することができる。
【００４４】
なお、本実施形態の突出部１７にあっては、上述したように、取付状態にて、溝部９の底面９ａに釣糸Ｌの一端側を押圧して係止する係止部として機能すると共に溝部９と周方向に係合する回り止め部としても機能している。つまり、本実施形態では、係止部と回り止め部とは機能的に関連しており、釣糸Ｌの一端側を再現性よく繰り返して係止するという上記効果が好適に奏されるものである。
【００４５】
また、上述したように、取付状態において、側板１１の先端１１ｂ側が凸部の隙間１０に差し込まれて当該側板１１が本体４に周方向に係合することにより、止め具５が本体４に対して周方向に相対移動するのを一層確実に制限することができる。その結果、釣糸Ｌの一端側を一層確実に係止することができる。さらに、このように、側板１１の先端１１ｂ側が隙間１０に差し込まれて止め具５が本体４に取り付けられることから、隙間１０は、かかる取り付けに際してガイドとしても機能し、よって、止め具５を本体４に容易且つ簡易に取り付けることができる。
【００４６】
また、上述したように、取付状態において、本体４が側板１１で軸線方向に挟持されることにより、止め具５が本体４に対して軸線方向に相対移動するのを確実に制限することができる。その結果、釣糸Ｌの一端側を一層確実に係止することができる。
【００４７】
また、上述したように、取付状態において、爪部２４が胴部６の内周面６ｂに径方向に係合する共に、溝部９の底面９ａに突出部１７の底壁１９が釣糸Ｌを介して径方向に係合する。これにより、取付状態にて、爪部２４及び突出部１７の底壁１９が協働し、止め具５が本体４に対して径方向に相対移動するのを確実に制限することができ、その結果、釣糸Ｌの一端側を一層確実に係止することができる。
【００４８】
さらにまた、上述したように、取付状態において、側板１１の突起２７がフランジ部の長溝１３に係合することにより、止め具５が本体４に対して周方向及び径方向に相対移動するのを一層確実に制限することができる。
【００４９】
ここで、本実施形態では、上述したように、底壁１９が自己の弾性力でもって撓むことが可能とされている。よって、底壁１９（突出部１７）が釣糸Ｌの一端側を溝部９の底面９ａに弾性力を有して押圧する。つまり、底壁１９は、釣糸Ｌの一端側を押圧する方向に弾性力を有している。従って、釣糸Ｌを繰り返して係止する場合や釣糸Ｌの径が比較的大きい場合であっても、釣糸Ｌが潰れて傷むことを抑制することができる。
【００５０】
ところで、溝部９の底面９ａに釣糸Ｌの一端側を確実に押圧するため、取付状態での底壁１９と溝部９の底面９ａとの距離には高い寸法精度が要求され、本体４及び止め具５には高い成型精度が要求される。しかし、上述したように底壁１９が釣糸Ｌの一端側を押圧する方向に弾性力を有していることにより、高い寸法精度及び成型精度を有さずとも当該弾性力でもって十分且つ確実に釣糸Ｌの一端側が押圧されるため、かかる精度を現実的なものとすることができ、ひいては、製造工程、製造コスト、及び耐劣化性が製造現場、市場、及び使用現場のニーズに合う好適なものとなる。
【００５１】
また、上述したように、隙間４７がフランジ部７Ｒにおける外側面７Ｒａとベース板１５の側壁１１Ｒの内側面２１との間に形成されている。従って、上述したように、釣糸Ｌの一端側をフランジ部７Ｒの外側面７Ｒａにおいて巻回方向に沿う状態にして止め具５を本体４に取り付けることにより、取付状態において、釣糸Ｌの一端側が隙間４７に進入し、側板１１とフランジ部７Ｒとの間でも釣糸Ｌの一端側が係止される（図１４参照）。これにより、釣糸Ｌの一端側をより一層確実に係止することができる。
【００５２】
また、上述したように、フランジ部７Ｒに薄肉部１２が設けられていることにより、止め具５を本体４に取り付ける際に、爪部２４を薄肉部１２でガイドすることができ、よって、止め具５を本体４に容易且つ簡易に取り付けることができる。
【００５３】
また、上述のように、段差１４がフランジ部７Ｌの内側面７Ｌｂに設けられている。これにより、例えば糸巻を用いて釣り糸Ｌを巻回する場合、段差１４に沿って釣糸Ｌの糸巻側を胴部６の外周面６ｂに案内し、外周面６ｂにおいて軸線方向の一端側から釣糸Ｌを巻き始めることができる。その結果、巻き乱れ無くきれいに釣糸Ｌを整列巻きすることができる。
【００５４】
なお、本実施形態においては、釣糸Ｌの径が１０号と大きいため、釣糸Ｌの一端側を再現性よく繰り返して係止するという効果が顕著である。これは、以下の理由による。すなわち、従来のスプールでは、釣糸Ｌの径が大きい程、釣糸Ｌを繰り返し係止することによる劣化が激しくなる。一方、本実施形態では、上述したように釣糸Ｌの一端側を溝部９の底面９ａに押圧して係止するため、釣糸Ｌの径が大きい場合でもかかる劣化のおそれが少なく、むしろ釣糸Ｌの径が大きいことで一層確実に底面９ａに押圧して係止することができるからである。
【００５５】
ちなみに、通常、釣糸Ｌは糸巻により溝部９を介して胴部２１に導かれて巻回されることにより、溝部９は釣糸Ｌを巻回する上で通常必ず設けられるものである。そのため、本実施形態は、上述したように、釣糸Ｌの一端側を溝部９の底面に押圧して係止することから、既存の構成を利用したものといえる。すなわち、本実施形態は、様々な本体４に適用することができる汎用性が極めて高いものである。また、本実施形態では、釣糸Ｌの一端側を係止するために、止め具５を本体４に取り付けるだけで足りる、つまり止め具５があれば足りることから、釣糸Ｌの一端側を係止する上での樹脂使用量を低減させて地球環境への負荷を軽減することができる。
【００５６】
次に、収納ケース付きスプール１においてスプール２を収納ケース３に収納する場合について説明する。
【００５７】
スプール２を収納ケース３に収納する場合、まず、収納ケース３を収納口４６が開いた状態にし、スプール２の止め具５が天側に位置するように、当該スプール２を収納口４６から収納ケース３の内部に配置する（図１６（ａ）参照）。
【００５８】
続いて、一方の天側フラップ３６Ｒを内側に折り曲げ、その先端側を隙間２９（ベース板１５と胴部６の外周面６ｂとの間）に進入させる（図１６（ｂ）参照）。これと共に、他方の天側フラップ３６Ｌを内側に折り曲げ、その先端側を隙間２９（ベース板１５と胴部６の外周面６ｂとの間）に進入させる（図１７（ａ）参照）。そして、ケース天板３８を折り曲げると共に、ケース天板４２を折り曲げながら吊下板４３を長孔４４に挿入させつつ、差込片３９をスリット４９に差し込むことにより、スプール２が収納ケース３に収納されることとなる（図１７（ｂ）参照）。
【００５９】
このとき、上述したように、天側フラップ３６のフラップ長さが長くなっていることから、一方の天側フラップ３６Ｒの先端側がベース板１５に対して周方向の一方側に位置するため、スプール２の一方側への回転が制限されると共に、他方の天側フラップ３６Ｌの先端側がベース板１５に対して周方向の他方側に位置するため、スプール２の他方側への回転が制限される。すなわち、天側フラップ３６により、止め具５のベース板１５が収納ケース３に対して周方向に相対移動するのを制限することができ、収納されたスプール２が収納ケース３に対して周方向に相対移動するのを制限することができる。従って、本実施形態によれば、簡易且つ容易に収納ケース３内におけるスプール２の回転を防止することができる。
【００６０】
さらに、このように、収納されたスプール２の相対移動が制限されること、すなわち、スプール２を安定した状態で収納ケース３内に固定して収納することにより、スプール２が収納ケース３に収納された状態にて、表示部２０，２６（図６及び図９参照）の文字等の位置関係が収納ケース３毎にばらつくことがなくなり、当該表示部２０，２６が見易くなる。その結果、収納ケース３を同一の向きに配列すれば表示部２０，２６も同一の向きとして正視することができ、且つ収納ケース付きスプール１を展示した際の見栄えも良くなる。
【００６１】
さらに、上述したように、収納ケース３にスプール２が収納された状態において、天側フラップ３６の先端側が隙間２９にそれぞれ進入される。これにより、ベース板１５が天側フラップ３６で周方向に挟持されることになり、よって、収納されたスプール２が収納ケース３に対して周方向に相対移動するのを抑止することができる。
【００６２】
また、上述したように、先端側を内側に折り曲げるための折線ｗが、天側フラップ３６にそれぞれ設けられているため、天側フラップ３６の先端側の部分３６ａを折線ｗにより内側に折り曲げることで、天側フラップ３６の先端側を隙間２９に容易に進入させることができる。
【００６３】
なお、一般的な収納ケースでは、その剛性を高めるためにフラップが通常必ず設けられているため、本実施形態は、既存の構成を利用し低コスト化が図られている。さらに、本実施形態では、上述したように、天側フラップ３６は、そのフラップ長さが通常よりも長くなっているため、収納ケース３の剛性が一層高められている。
【００６４】
ちなみに、本実施形態では、収納ケース３の形成に上述したような樹脂を用いることにより、当該収納ケース３及び天側フラップ３６に適度な剛性を持たせているため、上記作用効果、すなわち、天側フラップ３６により止め具５のベース板１５が収納ケース３に対して周方向に相対移動するのを制限するという作用効果が好適に奏される。
【００６５】
［第２実施形態］
次に、本発明の第２実施形態に係る収納ケース付きスプール５０について説明する。
【００６６】
図１８は、本発明の第２実施形態に係る収納ケース付きスプールを示す正面図である。この第２実施形態の収納ケース付きスプール５０が上記第１実施形態の収納ケース付きスプール１と異なる点は、図１に示した天側フラップ３６を有する収納ケース３に代えて、図１８に示す天側フラップ５６を有する収納ケース５３を備えた点である。
【００６７】
天側フラップ５６は、収納ケース５３にスプール２が収納された状態において、その先端側が隙間２９に進入せず、先端側の部分５６ａがベース板１５の長手方向に交差する方向でベース板１５の両側面を挟持して止め具５を挟持する。
【００６８】
このような本実施形態においても、上記と同様な効果、すなわち、簡易且つ容易に収納ケース３内におけるスプール２の回転を防止するという効果を奏する。さらに、上述したように、天側フラップ５６の先端側の部分５６ａにより、止め具５が挟持されるため、収納されたスプール２を収納ケース５３に対して周方向に相対移動するのを抑止することができる。
【００６９】
以上、本発明の好適な実施形態について説明したが、本発明は上記実施形態に限定されるものではない。
【００７０】
例えば、上記第１実施形態では天側フラップ３６の先端側を隙間２９に進入し、上記第２実施形態では天側フラップ５６先端側の部分５６ａで止め具５を挟持したが、天側フラップの先端側がベース板に対して周方向の一方側及び他方側に位置し、収納されたスプールの回転を制限できればよい。
【００７１】
また、上記実施形態では、釣糸Ｌの一端側を係止する突出部１７（底壁１９）をベース板１５に設けたが、ベース板が本体に取り付けられ胴部の外周面に対面していれば、当該ベース板に突出部を設けなくともよい。また、釣糸Ｌを切断するためのカッタ等の切断部をベース板に設けても良い。この場合、取付状態において、巻回された釣糸を引き出して付属板により切断することができ、よって、所望の長さの釣糸を容易且つ効率的に得ることが可能となる。
【００７２】
また、上記実施形態では、樹脂使用量の低減のために好ましいとして、本体４を、胴部６の内周面６ａより内側が中空とされた非リブ構造の環状体としたが、本体の剛性をより高める場合には、当該本体にリブを設ける場合もある。
【００７３】
また、上記実施形態では、１０号の釣糸Ｌを巻回して収納したが、これより径が大きい若しくは小さいものに適用しても勿論よい。
【図面の簡単な説明】
【００７４】
【図１】本発明の第１実施形態に係る収納ケース付きスプールを示す斜視図である。
【図２】図１の収納ケース付きスプールにおける本体を示す上面図である。
【図３】図２のIII−III線に沿った断面図である。
【図４】図１の収納ケース付きスプールにおける本体を示す正面図である。
【図５】図１の収納ケース付きスプールにおける本体を示す背面図である。
【図６】図１の収納ケース付きスプールにおける止め具を示す上面図である。
【図７】図１の収納ケース付きスプールにおける止め具を示す下面図である。
【図８】図６のVIII−VIII線に沿った断面図である。
【図９】図１の収納ケース付きスプールにおける止め具を示す正面図である。
【図１０】図１の収納ケース付きスプールにおける止め具を示す背面図である。
【図１１】図６のXI−XI線に沿った断面図である。
【図１２】図１の収納ケース付きスプールにおける収納ケースを示す展開斜視図である。
【図１３】図１の収納ケース付きスプールにおける収納ケースを示す斜視図である。
【図１４】図１の収納ケース付きスプールにおける取付状態を示す拡大図である。
【図１５】図１４のXV−XV線に沿った断面図である。
【図１６】図１の収納容器付きスプールにおいてスプールを収納ケースに収納する場合を説明するための図である。
【図１７】図１６の続きを説明するための図である。
【図１８】本発明の第２実施形態に係る収納容器付きスプールを示す正面図である。
【符号の説明】
【００７５】
１，５０…収納容器付きスプール、２…スプール、３…収納ケース、４…本体、６…胴部、６ｂ…胴部の外周面、１５…ベース板（付属板）、１７…突出部（係止部）、１９…底壁（係止部）２０，２６…表示部、４６…収納口、３６…天側フラップ（フラップ）、２９…隙間（ベース板と胴部の外周面との間）、Ｌ…釣糸（繊維体）、ｗ…折線（折曲げ線）。
【図１】
2008155964.tif 000003
【図２】
2008155964.tif 000004
【図３】
2008155964.tif 000005
【図４】
2008155964.tif 000006
【図５】
2008155964.tif 000007
【図６】
2008155964.tif 000008
【図７】
2008155964.tif 000009
【図８】
2008155964.tif 000010
【図９】
2008155964.tif 000011
【図１０】
2008155964.tif 000012
【図１１】
2008155964.tif 000013
【図１２】
2008155964.tif 000014
【図１３】
2008155964.tif 000015
【図１４】
2008155964.tif 000016
【図１５】
2008155964.tif 000017
【図１６】
2008155964.tif 000018
【図１７】
2008155964.tif 000019
【図１８】
2008155964.tif 000020